(57)【要約】【課題】自然なリバウンドを得ることができ、音の強弱を繊細に表現することができるキックパッドを提供する。【解決手段】キックパッドは、ビーターにより叩くことで生じる振動を電気信号に変換して出力する圧電素子１と、ビーターにより叩く面２１ａと圧電素子１との間に配置された緩衝部材５と、叩く面２１ａを含む表面を有し、緩衝部材５を圧電素子１とともにその裏面側に包み込む、シート状の打面カバー２１と、を有する。【選択図】      図３
2019120826.tif 000002
【特許請求の範囲】
【請求項１】
ビーターにより叩くことで生じる振動を電気信号に変換して出力する圧電素子と、
前記ビーターにより叩く面と前記圧電素子との間に配置された緩衝部材と、
前記叩く面を含む表面を有し、前記緩衝部材を前記圧電素子とともにその裏面側に包み込む、シート状の打面カバーと、
を有するキックパッド。
【請求項２】
前記圧電素子の前記緩衝部材と反対側に配置された背面部材をさらに有し、
前記打面カバーは、前記緩衝部材を押し潰すように、その外周縁を引っ張った状態で前記背面部材に固定されている、
請求項１のキックパッド。
【請求項３】
前記緩衝部材は、複数枚の発泡シートとスポンジ層を重ねた構造を有する、
請求項２のキックパッド。
【請求項４】
前記打面カバーは、塩化ビニルまたはウレタンにより形成されている、
請求項２のキックパッド。
【請求項５】
緩衝部材と、
叩く面を含む表面を有し、前記緩衝部材をその裏面側に包み込む、シート状の打面カバーと、
を有するキックパッド。
【発明の詳細な説明】
【技術分野】
【０００１】
本発明は、例えば、電子ドラムのキックパッドに関する。
【背景技術】
【０００２】
電子ドラムのキックパッドは、例えば、スタンドに取り付けられて使用される。スタンドの下端には、フットペダルが固定される。演奏するときには、フットペダルを足で操作してビーターをキックパッドに打ち付ける。スタンドおよび／或いはフットペダルは、床に敷く防振マットに対する滑りを防止するため、位置ズレ防止用のピンをその下面側に突出して有する。
【先行技術文献】
【特許文献】
【０００３】
【特許文献１】特開２００７−２０６６３３号公報
【発明の概要】
【発明が解決しようとする課題】
【０００４】
上述した従来のキックパッドでは、ビーターによりキックパッドを叩いたときに、アコースティックドラムのような自然なリバウンドを得ることは難しい。また、上述した従来のキックパッドでは、微妙な強弱をつけてフットペダルを踏んで、ビーターを打ち付ける強さを微妙に変えても、このような微妙な違いを圧電素子を介して音の強弱として出力することは難しい。
【０００５】
本発明は、上記の点に鑑みてなされたもので、自然なリバウンドを得ることができ、音の強弱を繊細に表現することができる、キックパッドを提供することを目的とする。
【課題を解決するための手段】
【０００６】
本発明のキックパッドは、ビーターにより叩くことで生じる振動を電気信号に変換して出力する圧電素子と、ビーターにより叩く面と圧電素子との間に配置された緩衝部材と、叩く面を含む表面を有し、緩衝部材を圧電素子とともにその裏面側に包み込む、シート状の打面カバーと、を有する。
【発明の効果】
【０００７】
本発明のキックパッドを用いると、自然なリバウンドを得ることができ、音の強弱を繊細に表現することができる。
【図面の簡単な説明】
【０００８】
【図１】図１は、実施形態に係るキックパッドをスタンドに取り付けた組立体を示す外観斜視図である。
【図２】図２は、図１のキックパッドの分解斜視図である。
【図３】図３は、図２のキックパッドのパッド本体の分解斜視図である。
【図４】図４は、図３のパッド本体を背面側から見た斜視図である。
【発明を実施するための形態】
【０００９】
以下、本発明を実施するための形態について図面を参照して説明する。  
図１は、４つの支持具１０を介して本実施形態のキックパッド２０をスタンド３０に取り付けた組立体４０を示す外観斜視図である。図１では、フットペダル５０をスタンド３０の底部プレート３１に取り付けた状態を示してある。キックパッド２０の表面は、アコースティックドラムのバスドラムのヘッドに相当し、スタンドの底部プレート３１は、バスドラムのリムに相当する。
【００１０】
以下の説明では、組立体４０のフットペダル５０側を演奏者から見た手前側（或いは前面側）と称し、ビーター５１がキックパッド２０を叩く方向を奥側（或いは背面側）と称する。なお、フットペダル５０の構造や底部プレート３１への取り付け方法などについては、周知の技術であるため、ここではその詳細な説明を省略する。
【００１１】
スタンド３０は、フットペダル５０を取り付けるための略矩形の金属板により形成された底部プレート３１を有する。底部プレート３１は、床面Ｆと平行に配置され、その上面奥側の２つの角部に２本のメインフレーム３２、３２の下端を固定している。フットペダル５０は、メインフレーム３２、３２の下端から離れた底部プレート３１の手前側の辺部３１ａに取り付けられる。
【００１２】
２本のメインフレーム３２、３２は、例えば、金属製のパイプにより形成されており、底部プレート３１から上方に互いに略平行に延びている。２本のメインフレーム３２、３２の上端には、後述するキックパッド２０が取り付けられる。
【００１３】
２本のメインフレーム３２、３２の間には、サブフレーム３３が架け渡されている。サブフレーム３３は、例えば、金属製のプレートにより形成されている。また、各メインフレーム３２の奥側には、それぞれ、支えフレーム３４、３４が設けられている。各支えフレーム３４は、細長い２枚の板をその両端で重ねた構造を有する。各支えフレーム３４の上端は、サブフレーム３３を接続した位置で、回動スリーブ３５を介してメインフレーム３２の周りで回動可能に取り付けられている。
【００１４】
各支えフレーム３４の下端には、床面Ｆに敷いた図示しない防振マットに突き刺すことでスタンド３０の移動を防止するための図示しない位置ズレ防止ピンが突出可能に設けられている。各支えフレーム３４の下端とそれぞれ対応するメインフレーム３２の下端の間には、梁フレーム３６が設けられている。梁フレーム３６の一端３６ａは、支えフレーム３４に対して回動可能に取り付けられている。梁フレーム３６の他端３６ｂには、スライドスリーブ３７が回動可能に取り付けられている。スライドスリーブ３７は、メインフレーム３２の周りで回動可能且つスライド可能に取り付けられている。
【００１５】
スライドスリーブ３７を図１の状態からメインフレーム３２に沿って上方にスライドさせ、梁フレーム３６の他端３６ｂを支えフレーム３４の上端に近付けると、支えフレーム３４と梁フレーム３６がメインフレーム３２と平行な状態に近付けられる。つまり、スライドスリーブ３７を回動スリーブ３５に最も近い位置までスライドさせると、支えフレーム３４および梁フレーム３６がメインフレーム３２と略平行になり、スタンド３０が折り畳まれる。
【００１６】
スタンド３０を図１の状態に展開して使用する際には、スライドスリーブ３７を貫通したネジ孔に螺合した蝶ネジ３８を締め、スライドスリーブ３７をメインフレーム３２の下端近くに固定する。これにより、支えフレーム３４が図示の開いた状態に固定され、スタンド３０が安定する。このとき、スライドスリーブ３７のメインフレーム３２に対する固定位置を変えることで、支えフレーム３４の角度を調節することができ、メインフレーム３２の傾倒角度を調整することができる。つまり、アコースティックドラムのバスドラムを傾けるのと同じように、キックパッド２０を支持する角度を変えることができる。
【００１７】
なお、２本のメインフレーム３２にそれぞれ接続された２本の支えフレーム３４は、互いに離接する方向にその開き角度を調整可能な構造を有する。つまり、回動スリーブ３５をメインフレーム３２に対して回動させ、且つスライドスリーブ３７をメインフレーム３２に対して回動させることで、支えフレーム３４および梁フレーム３６をメインフレーム３２に対して回動させることができ、支えフレーム３４の角度調整が可能となる。このため、組立体４０を演奏者の足元の狭い空間に設置し易く、レイアウトの自由度を高めることができる。角度調整した支えフレーム３４は、上述した蝶ネジ３８を締めることでその角度に固定される。
【００１８】
以下、本実施形態のキックパッド２０について、図２乃至図４を参照して説明する。図２は、キックパッド２０の分解斜視図である。図３は、図２のキックパッド２０のパッド本体２２の分解斜視図である。図４は、パッド本体２２をフレーム２４側から見た背面斜視図である。
【００１９】
図２に示すように、キックパッド２０は、手前側から奥側に向けて、パッド本体２２、フレーム２４、および背面カバー２６を有する。本実施形態のキックパッド２０は、２本のビーターを並設したツインペダルに対応して、横長の打面２１ａを有する略矩形ブロック状に形成されている。
【００２０】
図３に示すように、パッド本体２２は、略矩形の７枚の発泡シート２および略矩形の２枚のスポンジシート４ａ、４ｂ（スポンジ層）を重ねた積層体５（緩衝部材）を有する。７枚の発泡シート２は手前側に重ねて配置され、２枚のスポンジシート４ａ、４ｂは奥側に重ねて配置されている。発泡シート２およびスポンジシート４ａ、４ｂの素材や材質、厚さ、枚数、配置順などは、パッド本体２２の打面２１aをビーター５１で叩いたときに要求されるキックパッド２０の吸音性能や応答性能に応じて適宜変更可能である。
【００２１】
各発泡シート２は、例えば、不織布に発泡性のアクリル剤を吹き付けて温度をかけて発泡させたシートである。２枚のスポンジシート４a、４ｂのうち、発泡シート２から離間した背面側のスポンジシート４ｂは、後述する圧電素子１の配線６５（図４）を背面側に引き出すための円形の貫通孔４ｃを有する。また、このスポンジシート４ｂは、パッド本体２２をフレーム２４に固定する４本のネジ６１の先端を受け入れる４つの受孔４ｄを有する。
【００２２】
２枚のスポンジシート４ａ、４ｂの間には、圧電素子１を背面３ａに備えた矩形の金属板３を有する。圧電素子１は、ビーター５１によってキックパッド２０を叩いたときに生じる振動を電気信号に変換して出力する。金属板３は、発泡シート２およびスポンジシート４ａ、４ｂより一回り小さい。金属板３は、圧電素子１が背面側のスポンジシート４ｂに対向する図示の向きで配置される。
【００２３】
発泡シート２のさらに手前側には、保護シート２ａが重ねて配置されている。スポンジシート４ｂのさらに奥側には、背面プレート６（背面部材）が重ねて配置されている。背面プレート６は、４つの角が切り欠かれた八角形の金属板により形成されており、その中央にスポンジシート４ｂの貫通孔４ｃに対向する貫通孔６３が設けられている。この貫通孔６３は、圧電素子１の配線６５を引き出すための孔である。また、背面プレート６は、上述した４本のネジ６１を螺合する４つのネジ孔６２を有する。
【００２４】
パッド本体２２の表面側には、ビーター５１による打撃を受ける機能と積層体５を裏面側に収容して包んで保持する機能を兼ね備えた１枚のシート状の打面カバー２１が設けられている。打面カバー２１は、例えば、塩化ビニルやウレタンなどにより形成されている。打面カバー２１は、上述した積層体５の手前側の面（前面）および全ての側面を包んで覆うように設けられ、積層体５の奥側の面（背面）で背面プレート６の背面に接着固定される。打面カバー２１の素材や材質、厚さなどは、ビーター５１が打面カバー２１の表面に含まれる打面２１ａを叩いたときに、所望するリバウンドを得ることができるように選択される。
【００２５】
より具体的には、打面カバー２１は、その外周縁２１ｂを外側へ引っ張りながらテンションを与えつつ背面プレート６の背面の周縁に接着固定される（図４参照）。接着は、例えば、両面テープによりなされる。つまり、打面カバー２１は、発泡シート２やスポンジシート４ａ、４ｂをその重ね方向にわずかに押し潰した状態で、周縁部が背面プレート６に接着固定される。このため、パッド本体２２の前面縁部、すなわち打面２１ａの周縁部は、パッド本体２２の側面に向けて緩やかに湾曲している。
【００２６】
図２に戻って、フレーム２４は、パッド本体２２の背面に接触してネジ留め固定するための固定板２４ａを有する。固定板２４ａは、上述した圧電素子１に対向する位置に、圧電素子１の配線６５を引き出すための開口部２４ａ−１を有する。また、固定板２４ａは、固定板２４ａの手前側の面にパッド本体２２を締結固定するためのネジ６１を挿通する４つの挿通孔２４ａ−２を有する。
【００２７】
固定板２４ａの外周縁には、天板２４ｂ、底板２４ｃ、および２枚の側板２４ｄが連続して一体に設けられている。天板２４ｂ、底板２４ｃ、および２枚の側板２４ｄは、固定板２４ａと略直交するように背面側に折り曲げられている。
【００２８】
パッド本体２２は、打面カバー２１の外周縁を固定板２４ａの手前側の面との間に挟んだ状態で、固定板２４ａの手前側に重ねられる。そして、パッド本体２２は、４本のネジ６１（図３、４）を用いて、フレーム２４の固定板２４ａに締結固定される。つまり、４本のネジ６１をフレーム２４の内側から固定板２４ａの挿通孔２４ａ−２に通して、パッド本体２２の背面プレート６のネジ孔６２に螺合する。４本のネジ６１を締め付けることで、打面カバー２１の外周縁が背面プレート６と固定板２４ａにより挟持され、打面カバー２１がフレーム２４にも固定される。
【００２９】
フレーム２４の底板２４ｃは、固定板２４ａとの間の折り曲げ部分にかけて、スタンド３０の２本のメインフレーム３２、３２の上端を通す２つの開口部２５、２５を有する。開口部２５の大きさは、キックパッド２０をスタンド３０に取り付けた状態で、メインフレーム３２がキックパッド２０のフレーム２４に接触しない大きさに設計されている。
【００３０】
２枚の側板２４ｄは、それぞれ、２つの支持具１０を取り付けるための取付孔２７、２７を有する。また、各側板２４ｄは、対応する背面カバー２６の側板２６ａを固定するためのネジ２８（図１）を挿通する挿通孔２４ｄ−１を有する。
【００３１】
背面カバー２６は、それぞれ、フレーム２４の側板２４ｄの内側に配置される２枚の側板２６ａ、２６ａを有する。側板２６ａ、２６ａは、背面板２６ｂの水平方向の両端から手前側に一体に折り曲げて設けられている。
【００３２】
各側板２６ａは、フレーム２４の側板２４ｄに設けた２つの取付孔２７にそれぞれ重なる２つの切り欠き２６ａ−１を有する。切り欠き２６ａ−１の大きさ（長さおよび幅）は、取付孔２７に取り付けた支持具１０に干渉しない大きさに設計されている。各側板２６ａの上端縁には、フレーム２４の天板２４ｂに沿って内側に折れ曲がった支持片２６ａ−２が設けられている。各側板２６ａは、フレーム２４の側板２４ｄに設けた挿通孔２４ｄ−１に重なるネジ孔２６ａ−３を有する。
【００３３】
背面カバー２６をフレーム２４に取り付ける場合、背面カバー２６の２枚の側板２６ａをフレーム２４の２枚の側板２４ｄの内側に重ね、挿通孔２４ｄ−１を通してネジ孔２６ａ−３にネジ２８を螺合する。このとき、支持具１０をフレーム２４の取付孔２７に取り付けた状態で、背面カバー２６を取り付け可能となっている。なお、背面カバー２６をフレーム２４に取り付けた状態で、背面カバー２６の支持片２６ａ−２は、フレーム２４の天板２４ｂの下に配置される。
【００３４】
背面カバー２６は、背面板２６ｂの両端の側板２６ａ、２６ａを手前側に折り曲げた構造を有する。背面板２６ｂは、中央が背面側に膨出するようにわずかに湾曲している。背面板２６ｂの下端縁には、複数の支持片２６ｂ−１が設けられている。各支持片２６ｂ−１は、フレーム２４の底板２４ｃに沿って手前側に折り曲げられている。各支持片２６ｂ−１には、フレーム２４の底板２４ｃに固定するための図示しないネジを挿通するための孔が設けられている。
【００３５】
背面カバー２６の上端には、ＬＥＤユニット２９ａを取り付けるためのＵ字状の取付プレート２９ｂが設けられている。ＬＥＤユニット２９ａは、図示しないネジにより取付プレート２９ｂの上面に固定される。取付プレート２９ｂは、図示しないネジにより背面カバー２６の側板２６ａの支持片２６ａ−２に締結固定される。ＬＥＤユニット２９ａは、背面カバー２６をフレーム２４に取り付けた状態で、天板２４ｂによって概ね覆われるが、フレーム２４の天板２４ｂの下面と背面カバー２６の背面板２６ｂの上端との間のわずかな隙間から一部が露出する。
【００３６】
支持具１０は、スタンド３０のメインフレーム３２の上端とフレーム２４の間に配置した図示しない弾性部材を有する。４つの支持具１０は、同じ構造を有し、２本のメインフレーム３２それぞれに２つずつ割り当てられている。本実施形態によると、キックパッド２０をスタンド３０に直接固定するのではなく、４つの支持具１０を介してキックパッド２０をスタンド３０に取り付けた。
【００３７】
以上のように、本実施形態によると、ビーター５１により叩く面（打面２１ａ）と圧電素子１との間に複数枚の発泡シート２とスポンジシート４ａを重ねて配置し、テンションをかけた状態の打面カバー２１で包んで覆うことで、キックパッド２０のパッド本体２２を構成した。つまり、打面カバー２１は、発泡シート２とスポンジシート４ａ、４ｂの積層体５を保持する保持カバーとして機能するとともに、ビーター５１を打ち付ける打面２１ａを構成するドラムヘッドとして機能する。このため、キックパッド２０を構成する部品の点数を少なくすることができ、キックパッド２０の製造コストを安くすることができる。
【００３８】
また、本実施形態によると、圧電素子１と打面カバー２１の間に複数枚の発泡シート２とスポンジシート４ａを配置したため、ビーター５１を打面２１ａに打ち付けたときに発生する振動を適度に吸収して圧電素子１に伝えることができる。これにより、ビーター５１が打面２１ａを叩くことで生じる振動の強さを圧電素子１に精度よく正確に伝えることができ、微妙な強弱をつけた繊細な演奏に対応することができる。
【００３９】
また、この場合、打面２１ａと圧電素子１の間に配置する発泡シート２やスポンジシート４ａ、４ｂなどの緩衝部材の素材や材質、厚さ、枚数、重ね順などを適宜変更することで、キックパッド２０の打感を変えることもできる。基本的に、打面２１ａと圧電素子１の間に複数枚の発泡シート２とスポンジシート４ａを配置することで、ビーター５１が打面２１ａを叩く衝撃音を吸収させることができ、騒音の問題を抑制することができる。
【００４０】
言い換えると、本実施形態によると、弱い力でフットペダル５０を踏んで小さな音を出したいときに、キックパッド２０が過剰に反応して、予想を超える大きな音が出てしまうといった不具合を生じることがなく、一方で、強い力でフットペダル５０を踏んでも騒音をある程度抑えることができる。つまり、本実施形態のキックパッド２０は、アコースティックドラムと同等の打感で演奏することができ、音の強弱を繊細に表現することができる。
【００４１】
また、本実施形態によると、ビーター５１を打ち付ける打面２１ａを表面に有する打面カバー２１を、テンションをかけた状態で背面プレート６に固定してパッド本体２２を構成しているため、アコースティックドラムのヘッドと同様に、ビーター５１を打ち付けたときに自然なリバウンドを得ることができる。このため、本実施形態のキックパッド２０を用いると、アコースティックドラムと略同じ感覚で演奏することができる。
【００４２】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００４３】
例えば、上述した実施形態では、ビーター５１を打ち付ける打面２１ａと圧電素子１の間に配置した緩衝部材として、発泡シートやスポンジシートを用いた場合について説明したが、これに限らず、ゴムシートや空気を入れた袋など、他の緩衝部材を用いてもよい。
【００４４】
また、上述した実施形態では、キックパッド２０の打面２１ａを含む打面カバー２１として、塩化ビニルやウレタンなどを用いた場合について説明したが、これに限らず、メッシュ素材などの他の打面カバーを用いてもよい。
また、上述した実施形態では、圧電素子１を有する電子ドラムのキックパッド２０に本発明を適用した場合について説明したが、これに限らず、圧電素子１を持たないキックパッドに本発明を適用することもできる。この場合、張設した打面カバー２１を有するため、アコースティックドラムと同等の打感やリバウンドを得ることができ、静音性も確保することができる。
【符号の説明】
【００４５】
１…圧電素子、  ２…発泡シート、  ３…金属板、  ４ａ、４ｂ…スポンジシート、  ５…積層体、  ６…背面プレート、  ２０…キックパッド、  ２１…打面カバー、  ２１ａ…打面、  ２１ｂ…外周縁、  ２２…パッド本体、  ５１…ビーター。
【図１】
2019120826.tif 000003
【図２】
2019120826.tif 000004
【図３】
2019120826.tif 000005
【図４】
2019120826.tif 000006